(57)【要約】【課題】水栓から出る水の勢いを弱めることができ、衣服を濡らしてしまうのを防止することができる、水栓キャップを提供すること。【解決手段】水栓Ｗに取り付けて使う、水栓キャップ１であって、筒状のキャップ本体３と、キャップ本体３の一端部に設けられる出口穴５であって、水栓Ｗの噴出口２１よりも大きな出口穴５と、キャップ本体３の内部に設けられ、水の勢いを弱くする障害物７を備えること。【選択図】図２
2020147933.tif 000002
【特許請求の範囲】
【請求項１】
水栓に取り付けて使う、水栓キャップであって、
筒状のキャップ本体と、
前記キャップ本体の一端部に設けられる出口穴であって、前記水栓の噴出口よりも大きな出口穴と、
前記キャップ本体の内部に設けられ、水の勢いを弱くする障害物を備える、水栓キャップ。
【請求項２】
前記キャップ本体の材料はシリコンゴムである、請求項１記載の水栓キャップ。
【請求項３】
前記障害物は網である、請求項１または請求項２記載の水栓キャップ。
【請求項４】
前記障害物は壁である、請求項１または請求項２記載の水栓キャップ。
【請求項５】
前記キャップ本体は二分割構造を有する、請求項１から請求項４のいずれか一項に記載の水栓キャップ。
【発明の詳細な説明】
【技術分野】
【０００１】
本発明は、公園などにある水栓に取り付けて使う、水栓キャップ（Not Wet!）に関するものである。
【背景技術】
【０００２】
これまで、公園の水飲み場などに設置されている水栓としては、水が真上に出るものがあった。水が真上に出るようにしたのは、使う人が簡単に水を飲めるようにするためである。
【発明の概要】
【発明が解決しようとする課題】
【０００３】
しかし、この水栓の噴出口の穴はとても小さいので、水栓のハンドルを大きく操作すると、水が勢いよく出て、衣服を濡らしてしまうことがあった。また、水の勢いを調節するためには、ハンドルを少しずつ操作しなけなければならず、非常に面倒であった。
【課題を解決するための手段】
【０００４】
本発明の第１の手段では、水栓に取り付けて使う水栓キャップであって、筒状のキャップ本体と、キャップ本体の一端部に設けられる出口穴であって、水栓の噴出口よりも大きな出口穴と、キャップ本体の内部に設けられ、水の勢いを弱くする障害物を備える、という構成を採っている。このような構成を採ることで、水栓の噴出口から水が勢いよく出た場合でも、水はまず障害物にぶつかる。このため、水の勢いは弱まる。そして、水栓キャップ内が水で満たされると、出口穴から水が出る。この時、水栓キャップの出口穴は、水栓の噴出口よりも大きいので、水の勢いは弱まった状態となる。このため、水が勢いよく噴出することがなく、使用者の衣服を濡らすこともない。
【０００５】
また、第２の手段では、キャップ本体はシリコンゴムからできている、という構成を採っている。このため、キャップ本体を延ばして水栓に簡単に取り付けることができる。
【０００６】
また、第３の手段では、障害物は網である、という構成を採っている。このため、水栓の噴出口から勢いよく出た水は、一旦障害物である網で細かく分かれて勢いが弱まる。このため、出口穴から勢いよく水が出るのが防止される。
【０００７】
また、第４の手段では、障害物は壁である、という構成を採っている。このため、水栓の噴出口から勢いよく出た水は、一旦障害物である壁にぶつかり勢いが弱まる。このため、出口穴から勢いよく水が出るのが防止される。
【０００８】
また、第５の手段では、キャップ本体は二分割構造を有する、という構成を採っている。このため、キャップ本体を水栓に取り付ける際に、一旦キャップ本体を二分割し、水栓に取り付けた後再度組み合わせることができる。これにより、水栓キャップをプラスチックなどのかたい材料で作った場合でも、水栓キャップを水栓に容易に取り付けることができる。
【発明の効果】
【０００９】
本発明によれば、水栓から出る水の勢いを弱めることができ、衣服を濡らしてしまうのを防止することができる。このため、公園で遊ぶ場合などに、着替えを持ってゆく必要がなくなる。また、水栓キャップを自分だけのものとして使うことで、非常に清潔である。
【図面の簡単な説明】
【００１０】
【図１】本発明の一実施形態に係る水栓キャップを示す図であって、図１（Ａ）は平面図を示し、図１（Ｂ）は図１（Ａ）のＢ−Ｂ線における断面図を示す。
【図２】図１に開示した水栓キャップを、水栓に取り付けた状態を示す図である。
【図３】水栓キャップの変形例を示す図であって、キャップ本体が二分割された状態を示し、図３（Ａ）は平面図を示し、図３（Ｂ）は正面図を示す。
【図４】水栓キャップの変形例２を示す図であって、図４（Ａ）は正面図を示し、図４（Ｂ）は図４（Ａ）のＢ−Ｂ線における断面図を示す。
【発明を実施するための形態】
【００１１】
本発明の水栓キャップの実施形態を、図面を参照しながら以下に説明する。なお、説明において、共通する部分は同じ符号を付し、重複する説明は適宜省略する。
【００１２】
本実施形態の水栓キャップ１は、水栓Ｗに取り付けて使うものであって、図１および図２に示すように、筒状のキャップ本体３と、キャップ本体３の一端部に設けられる出口穴５であって、水栓Ｗの噴出口２１よりも大きな穴出口５と、キャップ本体３の内部に設けられ、水の勢いを弱くする障害物７を備えている。
【００１３】
［キャップ本体］
キャップ本体３は、水栓Ｗに取り付けられるように、筒状に形成されている。キャップ本体３の材料は、弾性を有するシリコンゴムである。キャップ本体３の内部空間の直径は、水栓Ｗの上端部２３の直径よりも小さくなっている。水栓キャップ１を水栓に取り付ける際は、図２に示すように、キャップ本体３の他端部を広げて、キャップ本体３の他端部を水栓Ｗの上端部２３にかぶせるように取り付ける。
【００１４】
水栓キャップ１の出口穴５はテーパ形状となっており、出口穴５の直径は、キャップ本体３の内部空間の直径よりもわずかに小さくなっている。ただし、出口穴５の直径をキャップ本体３の内部空間の直径と同じにしてもよい。さらに、出口穴５の直径は、水栓Ｗの噴出口２１の直径よりも大きい。これは、出口穴５から出る水の勢いを弱めるためである。仮に、出口穴５の直径が噴出口２１の直径と同じであると、後述する障害物７を設けても、出口穴５からは水が勢いよく出てしまう。
【００１５】
［障害物］
障害物７は、キャップ本体３の内部に設けられた網である。具体的に網は、キャップ本体３内の水が流れる方向（図１においては上下方向）に対して直交する方向に沿って設けられている。本実施形態では、網は円形である。キャップ本体３は内部にリング状の保持部材６を備え、その保持部材６に形成された溝に、網が設置されている。水栓Ｗの噴出口２１から出た水は網にぶつかり、細かく分かれて勢いが弱まる。
【００１６】
本実施形態の障害物７は、１つの網であるが、本発明はこれに限定されるものではない。網の数を２つ以上にしてもよい。また、網の方向についても、水の流れる方向に直交させる必要はなく、水の流れる方向に対して傾斜させてもよい。
【００１７】
水栓キャップ１を水栓Ｗに取り付けた後、図２に示すハンドル２５を操作して水を出すと、キャップ本体３の内部空間に水が満たされる。すると、内部空間内の水圧が上昇して、水栓キャップ１が水栓Ｗから外れる方向（上方向）に力を受ける。しかし、キャップ本体３の他端部が水栓Ｗの上端部２３を締め付けるように接触しているため、水栓キャップ１が水栓Ｗの上端部２３から外れることはない。
【００１８】
［変形例１］
上述した水栓キャップ１のキャップ本体３は、筒状の形状を有していたが、図３に示すように、水栓キャップ１Ａのキャップ本体３Ａを二分割し、はめ込み型にしてもよい。このような構造により、水栓Ｗに取り付ける前に二分割し、水栓Ｗに取り付けた後に一体化させることができる。このため、水栓キャップ１Ａを容易に水栓Ｗに取り付けることができる。このような構造は、キャップ本体３Ａをかたい材料で作る場合に適している。なお、本変形例では、キャップ本体３Ａの他端部の内部に、所定のフック部９が形成されている。
【００１９】
フック部９は、使用中に水栓キャップ１Ａが水栓Ｗから外れないようにするためのものである。具体的に説明する。ハンドル２５を操作して水を出すと、キャップ本体３Ａの内部空間に水が満たされる。すると、内部空間内の水圧が上昇して、水栓キャップ１Ａが水栓Ｗから外れる方向（上方向）に力を受ける。このとき、水栓キャップ１Ａのフック部９が水栓Ｗの上端部２３における下側の傾斜面に引っ掛かるため、水栓キャップ１Ａが水栓Ｗの上端部２３から外れることはない。なお、水栓キャップ１の内部空間の直径が、水栓Ｗの上端部２３の直径とほぼ同等であれば、両者の摩擦力によって、水栓キャップ１は水栓Ｗから外れない。この場合は、フック部９を設けなくてもよい。
【００２０】
［変形例２］
図４は、変形例２に係る水栓キャップ１Ｂを示す図である。水栓キャップ１Ｂのキャップ本体３Ｂの内部空間の直径は、水栓Ｗの上端部２３の直径よりも少しだけ大きくなっている。このため、キャップ本体３を水栓Ｗの上端部２３にかぶせるように取り付けることができる。キャップ本体３Ｂの材料としては、色々なものが考えられるが、例えば、ある程度の弾性を有するもの望ましく、プラスチックやゴムなどが考えられる。
【００２１】
本変形例の障害物７Ｂは、キャップ本体３Ｂの内部に設けられた壁である。具体的に壁は、キャップ本体３Ｂ内の水が流れる方向（図２においては上下方向）に対して直交する方向に沿って設けられている。そして、本実施形態では、互い違いになるように、２つの壁が設けられている。両方の壁は、その先端部がキャップ本体３Ｂの中心近傍まで延びている。このため、噴出口２１（図２参照）から勢いよく出た水は、最初の障害物７Ｂ（下の壁）にぶつかり、勢いが弱められる。そして、最初の障害物７Ｂを通過した水は、後の障害物７Ｂ（上の壁）にぶつかり、さらに勢いが弱まる。これにより、ハンドル２５を急に操作しても、出口穴５から水が勢いよく出ることはない。
【００２２】
本変形例の障害物７Ｂは、２つの壁であるが、本発明はこれに限定されるものではない。壁の数を１つにしてもよいし、３つ以上にしてもよい。また、壁の方向についても、水の流れる方向に直交させる必要はなく、水の流れる方向に対して傾斜させてもよい。なお、本変形例のキャップ本体３Ｂにも、上述したフック部９が設けられている。
【符号の説明】
【００２３】
１，１Ａ，１Ｂ  水栓キャップ
３，３Ａ，３Ｂ  キャップ本体
５  出口穴
６  保持部材
７  障害物（網）
７Ｂ  障害物（壁）
９  フック部
Ｗ  水栓
２１  噴出口
２３  水栓の上端部
２５  ハンドル
【図１】
2020147933.tif 000003
【図２】
2020147933.tif 000004
【図３】
2020147933.tif 000005
【図４】
2020147933.tif 000006
【手続補正書】
【提出日】令和2年6月16日(2020.6.16)
【手続補正１】
【補正対象書類名】特許請求の範囲
【補正対象項目名】全文
【補正方法】変更
【補正の内容】
【特許請求の範囲】
【請求項１】
水が真上に出る水栓に取り付けて使う、水栓キャップであって、
筒状のキャップ本体と、
前記キャップ本体の一端部に設けられる出口穴であって、前記水栓の噴出口よりも大きな出口穴と、
前記キャップ本体の内部に設けられ、水の勢いを弱くする障害物を備える、水栓キャップ。
【請求項２】
前記キャップ本体の材料はシリコンゴムである、請求項１記載の水栓キャップ。
【請求項３】
前記障害物は網である、請求項１または請求項２記載の水栓キャップ。
【請求項４】
前記障害物は壁である、請求項１または請求項２記載の水栓キャップ。
【請求項５】
前記キャップ本体は、前記水が真上に出る水栓への取り付け部分が縦に二分割構造を有するはめ込み型である、請求項１、３、４のいずれか一項に記載の水栓キャップ。